(57)【要約】【課題】  静かで、かつ、人体に対し安全な、ポータブル卓上生ゴミ処理機を提供することが可能にすることを目的にする。【解決手段】  生ゴミを処理するための内鍋２と、前記内鍋２を着脱可能に収納する収納部を有する生ゴミ処理筐体３と、前記生ゴミ処理筐体３に開閉可能に取り付けられ、前記の生ゴミ処理筐体３の上部を覆い、かつ、前記内鍋２の投入口を閉塞する蓋４と、を有するポータブル卓上生ゴミ乾燥処理機１であって、前記蓋４内に設けられた前記内鍋２内に連通する吸気通路と、前記蓋内に設けられた前記内鍋内に連通する排気通路と、前記吸気通路内に前記内鍋に対して送風する送風手段と、前記内鍋を加熱する加熱手段とを含むことを特徴とするポータブル卓上生ゴミ処理機。【選択図】図１
2008178855.tif 000002
【特許請求の範囲】
【請求項１】
生ゴミを処理するための内鍋と、前記内鍋を着脱可能に収納する収納部を有する生ゴミ処理筐体と、前記生ゴミ処理筐体に開閉可能に取り付けられ、前記の生ゴミ処理筐体の上部を覆い、かつ、前記内鍋の投入口を閉塞する蓋とを有するポータブル卓上生ゴミ乾燥処理機であって、前記蓋内に設けられた前記内鍋内に連通する吸気通路と、前記外蓋内に設けられた前記内鍋内に連通する排気通路と、前記吸気通路内に前記内鍋に対して送風する送風手段と、前記内鍋を加熱する加熱手段とを含むことを特徴とするポータブル卓上生ゴミ乾燥処理機
【請求項２】
前記内鍋が、内鍋の内周底面が突起部を有することを特徴とする請求項１に記載のポータブル卓上生ゴミ乾燥処理機
【請求項３】
前記送風手段が、遠心ブローであることを特徴とする請求項１に記載のポータブル卓上生ゴミ処理機
【請求項４】
前記送風手段が、軸流ファンであることであることを特徴とする請求項１に記載のポータブル卓上生ゴミ乾燥処理機
【請求項５】
前記送風手段が、貫流ファンであることであることを特徴とする請求項１に記載のポータブル卓上生ゴミ乾燥処理機
【請求項６】
前記送風手段が、渦流ファンであることであることを特徴とする請求項１に記載のポータブル卓上生ゴミ乾燥処理機
【請求項７】
前記蓋において、蓋の底面に、加熱補助装置を備えることを特徴とする請求項１に記載のポータブル卓上生ゴミ乾燥処理機
【請求項８】
前記排気通路内において、消臭装置を備えることを特徴とする請求項１に記載のポータブル卓上生ゴミ乾燥処理機
【請求項９】
前記加熱手段が、電熱ヒータであることであることを特徴とする請求項１に記載のポータブル卓上生ゴミ乾燥処理機
【請求項１０】
前記加熱手段が、ガスによる加熱であることを特徴とする請求項１に記載のポータブル卓上生ゴミ乾燥処理機
【請求項１１】
前記加熱手段が、ハロゲン加熱ヒータであることを特徴とする請求項１に記載のポータブル卓上生ゴミ乾燥処理機
【請求項１２】
前記加熱手段が、電磁波加熱であることを特徴とする請求項１に記載のポータブル卓上生ゴミ乾燥処理機
【請求項１３】
前記内鍋が、二重壁真空鍋であることを特徴とする請求項１に記載のポータブル卓上生ゴミ乾燥処理機
【請求項１４】
前記蓋の底面に、軟質の高温耐熱パッキンが外周面に固着された内蓋を備えることを特徴とする請求項１に記載のポータブル卓上生ゴミ乾燥処理機
【発明の詳細な説明】
【技術分野】
【０００１】
本発明は、生ゴミ乾燥処理機に関するものであって、騒音を生じず、かつ、人体に安全な生ゴミ乾燥処理機に関する。
【背景技術】
【０００２】
家庭で使用される、従来の乾燥式の生ゴミ処理機は、一般的に、１３０〜１５０度の熱風を吹き付けることで生ゴミを加熱すると同時に、前記熱風を生ゴミ全体に拡散させるべく、攪拌破砕手段である複数の羽根が付いた軸を高回転させて攪拌するとともに、当該羽根が生ゴミを破砕して、生ゴミを粉末化するものであった。
【特許文献１】特開２００２−０４４１５４号公報
【０００３】
しかしながら、前述したように生ゴミを乾燥させて粉末化させる際に、攪拌破砕手段たる羽根付き軸の回転により生じる音が大きい。又、生ゴミ処理機を使用する時間帯は、一般的に、夕食後の夜であるため、生ゴミの処理に生じる音は、静かであることが望まれている。
【０００４】
また、乾燥式生ゴミ処理機は、乾燥させる際に熱風を吹きつけるため、前述した粉末化された生ゴミが、排気口を通って室内に放出するおそれがあった。そのため、室内にいる人が吸い込むという危険が生じ、安全性に問題があった。
【発明の開示】
【課題を解決するための手段】
【０００５】
前記課題を解決するため、本発明は、生ゴミを処理するための内鍋と、前記内鍋を着脱可能に収納する収納部を有する生ゴミ処理筐体と、前記生ゴミ処理筐体に開閉可能に取り付けられ、前記の生ゴミ処理筐体の上部を覆い、かつ、前記内鍋の投入口を閉塞する蓋とを有するポータブル卓上生ゴミ乾燥処理機であって、前記蓋内に設けられた前記内鍋内に連通する吸気通路と、前記外蓋内に設けられた前記内鍋内に連通する排気通路と、前記吸気通路内に前記内鍋に対して送風する送風手段と、前記内鍋を加熱する加熱手段とを含むことを特徴とする。
【０００６】
このような構成によれば、攪拌破砕手段を不要となるため、高回転による騒音を防止することができ、かつ、生ゴミの粉末化による室内への放出を防止できる。
【０００７】
また、請求項２に係る発明は、前記内鍋が、内鍋の内周底面が突起部を有することを特徴とする。
【０００８】
請求項３に係る発明は、前記送風手段が、遠心ブローであることを特徴とする。
【０００９】
請求項４に係る発明は、前記送風手段が、軸流ファンであることを特徴とする。
【００１０】
請求項５に係る発明は、前記送風手段が、貫流ファンであることを特徴とする。
【００１１】
請求項６に係る発明は、前記送風手段が、渦流ファンであることを特徴とする。
【００１２】
請求項７に係る発明は、前記蓋において、蓋の底面に、加熱補助装置を備えることを特徴とする。
【００１３】
請求項８に係る発明は、前記排気通路内において、消臭装置を備えることを特徴とする。
【００１４】
請求項９に係る発明は、前記加熱手段が、電熱ヒータであることを特徴とする。
【００１５】
請求項１０に係る発明は、前記加熱手段が、ガスによる加熱であることを特徴とする。
【００１６】
請求項１１に係る発明は、前記加熱手段が、ハロゲン加熱ヒータであることを特徴とする。
【００１７】
請求項１２に係る発明は、前記加熱手段が、電磁波加熱であることを特徴とする。
【００１８】
請求項１３に係る発明は、前記内鍋が、二重壁真空鍋であることを特徴とする。
【００１９】
請求項１４に係る発明は、前記蓋の底面に、軟質の高温耐熱パッキンが外周面に固着された内蓋を備えることを特徴とする。
【発明の効果】
【００２０】
そして、本発明によれば、静かで、かつ、人体に対し安全なポータブル卓上生ゴミ処理機を提供することが可能になる。
【発明を実施するための最良の形態】
【００２１】
次に、本発明の実施形態について、適宜図面を参照しながら詳細に説明する。図１は、本発明の実施形態に係るポータブル卓上生ゴミ処理機全体の斜視図であり、図２は、本発明の実施形態に係るポータブル卓上生ゴミ処理機の断面図である。また、図３は、内鍋の一部断面斜視図である。
【００２２】
本実施形態に係るポータブル卓上生ゴミ処理機１を、図１に示すが、図１（ａ）は蓋４が閉じている状態の斜視図であって、図１（ｂ）は、蓋４の開いている状態の斜視図である。ポータブル卓上生ゴミ処理機１は、内鍋２と生ゴミ処理筐体３と蓋４とから構成される。また、生ゴミ処理筐体３は内鍋２を収納する一方で、蓋４は、生ゴミ処理筐体３に開閉可能に取り付けられ、前記生ゴミ処理筐体３と内鍋２との上部を覆う。開いている状態において、内鍋２に生ゴミ２０が投入可能となる。
【００２３】
内鍋２は、図３（ａ）に一般的な形状である内鍋２の斜視図を示したが、これに限るものではなく、図３（ｂ）及び図３（ｃ）に図示する内鍋２ａ、２ｂのように内側の底部の表面に突起部２１が形成されてもよい。当該形状によれば、内鍋２と生ゴミ２０との接する表面積が拡大し、生ゴミ２０に伝わる熱が多くなり、投入される生ゴミ２０の加熱時間短縮が図れることが出来る。また、内鍋２を生ゴミ処理筐体３から取り出し易いように、内鍋２の投入口外周面を突起させ、取手部分２２を設けても良い。
また、内鍋２の表面に、乾燥した生ゴミ２０が付着しないように、フッ素加工等の耐熱付着防止加工されていることが望ましい。また、内鍋２は、内壁と外壁からなり、前記内壁と外壁の間が真空に形成された、二重壁真空鍋いてもよい。また、内鍋２の材質は、本発明においては、特に限定されないが、後述する加熱手段６が、電磁波による場合には、鉄やステンレスであることが必要である。
【００２４】
生ゴミ処理筐体３は、内鍋２を収納する内鍋加熱壁５が設けられている。また、内鍋加熱壁５の外周底面側には、内鍋２を加熱するための加熱手段６が配置されて、また、加熱手段６により生じた熱が、前記生ゴミ処理筐体３本体に伝導しないように、内鍋加熱壁５と加熱手段６の外周面を断熱材層７にて隔離する。また、加熱手段６及び送風手段９を制御するための電気回路制御基板８を設ける。生ゴミ処理筐体３は、材質を問わないが、持ち運びが容易な様に軽量な材質であることが望ましい。
【００２５】
蓋４は、前記生ゴミ処理筐体３に開閉可能に接続され、生ゴミ処理筐体３に収納する内鍋２の投入口を閉塞する。
また、蓋４には、吸気通路４１と排気通路４２とが設けられ、前記吸気通路４１内には送風手段９が配置されている。また、本実施形態においては、蓋４の内蓋１０を備える。前記内蓋１０は、前記吸気通路４１から、供給される空気が内鍋２へ、及び、前記内鍋２から排気される蒸気等が、前記排気通路４２を通過できるように、内鍋１０は孔部１１ａ、１１ｂが形成される。
【００２６】
内鍋加熱壁５は、外周底面に位置する加熱手段６から生じる熱を内鍋２に伝導するために、熱伝導率が高い材質であることが望ましい。
【００２７】
加熱手段６は、内鍋２を加熱できれば、特に限定されるものでなく、電気ヒータ、ガスによる加熱、ハロゲンヒータ、電磁波が挙げられる。但し、加熱手段６が電磁波である場合には、前記内鍋２の材質が、電気抵抗が高い鉄やステンレスであることが必要である。
また、加熱手段６は、内鍋２内に投入された生ゴミ２０を１００度程度まで加熱できるものであればよい。本発明における生ゴミ２０を乾燥させるための必要な温度は、初期稼動時において、内鍋２に投入された生ゴミ２０が１００度であることが必要である。また、投入された生ゴミ２０の重量によって変化するものの、数分後に内鍋２内の生ゴミ２０を６０度前後で数時間加熱し、乾燥させる。
【００２８】
断熱材層７は、ガラス繊維やセラミック繊維が挙げられるが、本発明では特に限定されない。
【００２９】
電気回路制御基板８には、図示しないが、生ゴミ処理筐体３に固定されているマイクロコンピュータがあり、加熱手段６および送風手段９の動作を制御する。
ここで、内鍋２に投入された生ゴミ２０の温度を検知するために、図示しないが、温度センサが、内蓋１０に、若しくは、内鍋２の外周底面に設けられ、マイクロコンピュータと電気的接続をする。また、図示しないが内鍋２の外周底面には、内鍋２内に投入された生ゴミ２０の重量を量るための重量センサが配置され、マイクロコンピュータと電気的接続をする。そして、重量センサが量った生ゴミ２０の重量に従って加熱時間は変化するが、温度センサが生ゴミ２０の温度を検知し、検知された温度及び重量に対して、生ゴミ２０が乾燥するように電気回路制御基板８が加熱手段６の加熱度と加熱時間を制御する。
【００３０】
送風手段９は、蓋４の吸気通路４１内に配置するが、当該送風手段４１は、モータ（図示しない）と連結するファン４４から構成され、モータがファンを回転させることによって、内鍋２内に送風する。
【００３１】
内蓋１０は、蓋４が閉まっている場合、内鍋２内の熱が逃げないように、内鍋２の上部端面と係合するよう段差を形成、または、内蓋１０の外周面に、Ｏリング等の高温耐熱パッキンが備えてもよい。衛生的観点から、内蓋４を洗浄可能とすべく、内蓋１０は、蓋４と着脱可能に取り付けられることが望ましい。また、内鍋２内が熱せられているため、内蓋１０についても、熱塑性変形しないよう金属を材料とすることが望ましい。内蓋１０には、吸気通路４１と排気通路４２とが、内鍋２と連通する必要性から、パンチングマシーン等により孔部１１ａと１１ｂを形成する必要がある。また、内蓋１０には、補助加熱装置４６も設置する。
【００３２】
吸気通路４１は、蓋４内に設けられた空間であって蓋４の上側表面から、下側に向かって、孔が形成されればよい。図２に示す本実施形態においては、蓋４内部が空間となっており、その空間に仕切り板４３を設けることにより、前記空間を二分し、一方が吸気通路４１、他方が排気通路４２となっている。
【００３３】
ファン４４は、数枚の羽根と、モータと連結し、前記数枚の羽根を支持する軸とからなる。また、ファンは、遠心ブロー、軸流ファン、貫流ファン、渦流ファン等、限定されない。
【００３４】
消臭装置４５は、生ゴミ２０を加熱することにより生じる臭気を抑制するためのものである。従って、前記消臭装置４５は、排気通路４２内に配置される必要がある。また、消臭装置４５としては、ハニカム状の白金触媒を含む高温触媒装置や、活性炭類装置、銅イオン含浸消臭剤、銀イオンハニカムコア、オゾン発生装置、二酸化チタン消臭装置、活性炭素繊維不織布、植物抽出エキス塗布材及び植物抽出エキスの散布装置などが挙げられる。
【００３５】
加熱補助装置４６は、内蓋１０の内鍋２側に対抗する面に着脱可能に設置される。また、加熱補助装置４６は、例えば、遠赤外線ヒータや、電熱シーズヒータ、ハロゲン電熱球等が挙げられるが、内鍋２に投入された生ゴミ２０を上側から加熱することが目的であるため、特に限定はされない。
【００３６】
生ゴミ２０は、特に限定されない。
【００３７】
本実施形態に係るポータブル卓上生ゴミ処理機１は、蓋４が開閉可能に取り付けられているため、生ゴミ２０を投入する場合にのみ、蓋４を開ける。生ゴミ２０の投入後は、重量センサが生ゴミ２０の重さを量り、その重量にしたがって、内鍋２内の生ゴミ２０を加熱する。ここで、電気回路制御基板８は、加熱された生ゴミ２０の温度が１００度になるように、加熱手段６を制御する。温度センサによって生ゴミ２０が１００度であることが検知されたら、今度は、電気回路制御基板８は、内鍋２内の生ゴミ２０が６０度になるように、電気回路制御基板８が加熱手段６を制御する。また、生ゴミ２０から排出した蒸気を排除すべく、電気回路制御基板８が送風手段９を駆動させる。駆動する送風手段９は吸気通路４１を通じて外気を内鍋２内に送り込む。生ゴミ２０から生じた蒸気は、押し出されるように排気通路４２を通過し、ポータブル卓上生ゴミ乾燥処理機１の外に排出される。その際、蒸気に含ませる臭気は、消臭装置４５によって除去される。生ゴミ２０を６０度にて数時間加熱し続けると、内鍋２内の生ゴミ２０は乾燥する。
【００３８】
当該構成によれば、攪拌破砕翼を用いなくとも、生ゴミ２０を乾燥することができ、静かである。また、生ゴミ２０を攪拌破砕翼により、細かく破砕しないため、粉末化された生ゴミ２０が外気として放出され、吸い込むといった問題も生じない。
以上、ポータブル卓上生ゴミ乾燥処理機の実施形態について説明したが、本発明は本実施形態に限るものではない。
【図面の簡単な説明】
【００３９】
【図１】実施形態に係るポータブル卓上生ゴミ処理機の斜視図である。
【図２】実施形態に係るポータブル卓上生ゴミ処理機の断面図である。
【図３】内鍋の斜視図ある。
【符号の説明】
【００４０】
１      ポータブル卓上生ゴミ処理機
２      内鍋
２ａ    内鍋
２ｂ    内鍋
３      生ゴミ処理筐体
４      蓋
５      内鍋加熱壁
６      加熱手段
７      断熱材
８      電気回路制御基板
９      送風手段
１０    内蓋
１１ａ  孔部
１１ｂ  孔部
２０    生ゴミ
２１    突起部
２２    取手部分
４１    吸気通路
４２    排気通路
４３    仕切り板
４４    ファン
４５    消臭装置
４６    加熱補助装置
【図１】
2008178855.tif 000003
【図２】
2008178855.tif 000004
【図３】
2008178855.tif 000005